(57)【要約】  光学テープ駆動システムは、合計ｎ個の光ピックアップユニットおよびコントローラを含む。コントローラは、読取可能データを含む論理ラップの各々について、論理ラップの内部のすべての物理トラックが読取可能データを含むように、光ピックアップユニットの少なくともいくつかを介して光学テープに対して、各々がｎ個未満の物理トラックを有する論理ラップに読取可能データを書込む。
2015533010.tif 000002
【特許請求の範囲】
【請求項１】
光学テープ駆動システムであって、
合計ｎ個の光ピックアップユニットと、
コントローラとを備え、前記コントローラは、読取可能データを含む論理ラップの各々について、前記論理ラップの内部のすべての物理トラックが読取可能データを含むように、前記光ピックアップユニットの少なくともいくつかを介して光学テープに対して、各々がｎ個未満の物理トラックを有する前記論理ラップに読取可能データを書込むように構成される、システム。
【請求項２】
前記光ピックアップユニットの各々は同じ固定ユニットデータレートを有し、前記コントローラはさらに、ｎと前記固定ユニットデータレートとの積よりも小さい選択されたシステムデータレートで読取可能データを書込むように構成される、請求項１に記載のシステム。
【請求項３】
前記論理ラップの各々の内部の物理トラックの数は、前記選択されたシステムデータレートに基づく、請求項２に記載のシステム。
【請求項４】
前記論理ラップの各々の内部の物理トラックの数は、前記固定ユニットデータレートに基づく、請求項２または３に記載のシステム。
【請求項５】
前記合計ｎ個の光ピックアップユニットの各々は、同じ固定ユニットデータレートを有し、特定の光学テープ速度で動作するように較正され、
前記コントローラは、読取可能データを含む前記論理ラップの各々について、前記論理ラップの内部のすべての物理トラックが読取可能データを含むように、各々がｎと前記固定ユニットデータレートとの積よりも小さいいくつかの利用可能なシステムデータレートのうちの選択された１つのデータレートで、前記光ピックアップユニットの少なくともいくつかを介して前記光学テープに対して、前記論理ラップに読取可能データを前記特定の光学テープ速度で書込むよう構成される、請求項１から４のいずれか一項に記載のシステム。
【請求項６】
光学テープ駆動システムであって、
各々が同じ固定ユニットデータレートを有し、特定の光学テープ速度で動作するように較正される、合計ｎ個の光ピックアップユニットと、
コントローラとを備え、前記コントローラは、読取可能データを含む論理ラップの各々について、前記論理ラップの内部のすべての物理トラックが読取可能データを含むように、各々がｎと前記固定ユニットデータレートとの積よりも小さいいくつかの利用可能なシステムデータレートのうちの選択された１つのデータレートで、前記光ピックアップユニットの少なくともいくつかを介して光学テープに対して、前記論理ラップに読取可能データを前記特定の光学テープ速度で書込むように構成される、システム。
【請求項７】
前記コントローラはさらに、異なる数の前記光ピックアップユニットを非アクティブにして、前記利用可能なシステムデータレートの各々を達成するように構成される、請求項５または６に記載のシステム。
【請求項８】
前記コントローラはさらに、前記選択されたシステムデータレートと固定ユニットデータレートとの商の補数に等しい数の前記光ピックアップユニットを非アクティブにして、前記選択されたシステムデータレートを達成するように構成される、請求項１から７のいずれか一項に記載のシステム。
【請求項９】
前記コントローラはさらに、隣接した光ピックアップユニットを非アクティブにするように構成される、請求項１から８のいずれか一項に記載のシステム。
【請求項１０】
前記コントローラはさらに、すべてのアクティブな光ピックアップユニットが互いに隣接するように、隣接した光ピックアップユニットを非アクティブにするように構成される、請求項９に記載のシステム。
【請求項１１】
前記論理ラップの各々の内部の物理トラックの数は、アクティブな光ピックアップユニットの数に等しい、請求項１から１０のいずれか一項に記載のシステム。
【請求項１２】
各々が同じ固定ユニットデータレートを有する合計ｎ個の光ピックアップユニットを有する光学テープ駆動システムを用いて光学テープにデータを書込むための方法であって、
ｎと前記固定ユニットデータレートとの積よりも小さい選択されたシステムデータレートを受信することと、
前記選択されたシステムデータレートおよび前記固定ユニットデータレートに基づいて、ある数の前記光ピックアップユニットを非アクティブにすることと、
論理ラップの各々の内部の物理トラックの数が、アクティブな光ピックアップユニットの数に等しいように、アクティブな前記光ピックアップユニットを介して前記光学テープに対して前記論理ラップに前記選択されたシステムデータレートで読取可能データを書込むこととを備える、方法。
【請求項１３】
前記ある数の前記光ピックアップユニットは、アクティブな前記光ピックアップユニットが互いに隣接するように非アクティブにされる、請求項１２に記載の方法。
【請求項１４】
読取可能データを含む前記論理ラップの各々について、前記論理ラップの内部のすべての物理トラックが読取可能データを含む、請求項１２または１３に記載の方法。
【請求項１５】
アクティブな前記光ピックアップユニットの数は、前記選択されたシステムデータレートと前記固定ユニットデータレートとの商に等しい、請求項１２から１４のいずれか一項に記載の方法。
【発明の詳細な説明】
【技術分野】
【０００１】
技術分野
本開示は光学テープ駆動システムに関する。
【背景技術】
【０００２】
背景
光学テープはデータ記憶媒体である。ある例では、それは細長片の形態をとり得、この上にパターンを書込むことができ、ここからパターンを読取ることができる。光学テープは、磁気テープに対してより高いデータ転送レート、より大きい記憶容量、およびアクセス時間の短縮を促進し得る。さらに、光学テープは、テープの記録面に触れない光ピックアップユニットを用いて書込および読取がなされるため、磁気テープよりも耐久性があり得る。
【発明の概要】
【課題を解決するための手段】
【０００３】
概要
光学テープ駆動システムは、合計ｎ個の光ピックアップユニットおよびコントローラを含む。光ピックアップユニットの各々は同じ固定ユニットデータレートを有し、特定の光学テープ速度で動作するように較正される。コントローラは、読取可能データを含む論理ラップ（logical wrap）の各々について、論理ラップの内部のすべての物理トラックが読取可能データを含むように、いくつかの利用可能なシステムデータレートのうちの選択された１つのデータレートで、光ピックアップユニットの少なくともいくつかを介して光学テープに対して、論理ラップに読取可能データを特定の光学テープ速度で書込む。利用可能なシステムデータレートの各々は、ｎと固定ユニットデータレートとの積よりも小さい。コントローラは、選択されたシステムデータレートと固定ユニットデータレートとの商の補数に等しい数の光ピックアップユニットを非アクティブにして、選択されたシステムデータレートを達成し得る。コントローラは、隣接した光ピックアップユニットを非アクティブにし得る。コントローラは、すべてのアクティブな光ピックアップユニットが互いに隣接するように、隣接した光ピックアップユニットを非アクティブにし得る。論理ラップの各々の内部の物理トラックの数は、アクティブな光ピックアップユニットの数に等しくてもよい。コントローラは、異なる数の光ピックアップユニットを非アクティブにして、利用可能なシステムデータレートの各々を達成し得る。
【０００４】
光学テープ駆動システムは、合計ｎ個の光ピックアップユニットおよびコントローラを含む。コントローラは、読取可能データを含む論理ラップの各々について、論理ラップの内部のすべての物理トラックが読取可能データを含むように、光ピックアップユニットの少なくともいくつかを介して光学テープに対して論理ラップに読取可能データを書込み、論理ラップの各々はｎ個未満の物理トラックを有する。光ピックアップユニットの各々は同じ固定ユニットデータレートを有し得、コントローラは、ｎと固定ユニットデータレートとの積よりも小さい選択されたシステムデータレートで読取可能データを書込み得る。論理ラップの各々の内部の物理トラックの数は、選択されたシステムデータレートに基づき得る。論理ラップの各々の内部の物理トラックの数は、固定ユニットデータレートに基づき得る。コントローラは、選択されたシステムデータレートと固定ユニットデータレートとの商の補数に等しい数の光ピックアップユニットを非アクティブにして、選択されたシステムデータレートを達成し得る。コントローラは、隣接した光ピックアップユニットを非アクティブにし得る。コントローラは、すべてのアクティブな光ピックアップユニットが互いに隣接するように、隣接した光ピックアップユニットを非アクティブにし得る。論理ラップの各々の内部の物理トラックの数は、アクティブな光ピックアップユニットの数に等しくてもよい。
【０００５】
光学テープ駆動システムを用いて光学テープにデータが書込まれ、当該システムは、ｎと固定ユニットデータレートとの積よりも小さい選択されたシステムデータレートを受信することによって各々が同じ固定ユニットデータレートを有する合計ｎ個の光ピックアップユニットを有し、選択されたシステムデータレートおよび固定ユニットデータレートに基づいてある数の光ピックアップユニットを非アクティブにし、論理ラップの各々の内部の物理トラックの数がアクティブな光ピックアップユニットの数に等しいように、アクティブな光ピックアップユニットを介して光学テープに対して論理ラップに選択されたシステムデータレートで読取可能データを書込む。光ピックアップユニットの数は、アクティブな光ピックアップユニットが互いに隣接するように非アクティブにされ得る。読取可能データを含む論理ラップの各々について、論理ラップの内部のすべての物理トラックが読取可能データを含み得る。アクティブな光ピックアップユニットの数は、選択されたシステムデータレートと固定ユニットデータレートとの商に等しくてもよい。
【図面の簡単な説明】
【０００６】
【図１】光学テープシステムの一部の概略図である。
【図２】各々が８個の物理トラックを有する４個のラップを用いて各々が書込まれる光学テープの概略図である。
【図３】各々が８個の物理トラックを有する４個のラップを用いて各々が書込まれる光学テープの概略図である。
【図４】各々が４個の物理トラックを有する８個のラップを用いて書込まれる光学テープの概略図である。
【発明を実施するための形態】
【０００７】
詳細な説明
本開示の実施形態がここに説明される。しかし、開示される実施形態は例に過ぎず、他の実施形態はさまざまな代替の形態をとり得ることを理解すべきである。図面は必ずしも一定の縮尺ではなく、いくつかの特徴は特定の構成要素の詳細を示すために拡大または縮小され得る。したがって、ここに開示される具体的な構造および機能の詳細は限定的であると解釈されるべきでなく、当業者に本発明をさまざまな方法で利用するように教示するための代表的な基礎としてのみ解釈されるべきである。当業者によって理解されるように、図面のいずれか１つに関連して図示および説明されるさまざまな特徴は、１つ以上の他の図面に示される特徴と組合せられて、明示的に図示または説明されない実施形態を生成し得る。図示される特徴の組合せによって、典型的な用途についての代表的な実施形態が提供される。しかし、本開示の教示と一致する特徴のさまざまな組合せおよび変更が、特定の用途または実現に望まれ得る。
【０００８】
図１を参照して、光学テープ駆動システム１１０は、とりわけ、当該技術において公知であるような複数の光ピックアップユニット１１２ｎ（たとえば１１２ａ〜１１２ｈ）およびコントローラ１１４を含み得る。光ピックアップユニット１１２ｎの各々は光ビームを生成し得、当該光ビームは、光学テープの物理トラック上に収束されると、コントローラ１１４の制御下で物理トラックにデータを書込むか、または物理トラックからデータを読取る。図１の例では、光学テープ駆動システム１１０は８個の光ピックアップユニット１１２ｎを含む。他の例における光ピックアップユニットの数はもちろん異なってもよい。たとえば、代替的な光学テープ駆動システムは６個の光ピックアップユニットのみを含んでもよい、等である。
【０００９】
光ピックアップユニットは典型的に、特定の光学テープ速度で動作するようにチューニングされる。すなわち、光ピックアップユニットのレーザダイオードは、予想されるテープ速度に従って較正される。したがって、磁気テープ駆動システムとは異なり、システムデータ転送レートは、単にテープ速度を変えることによって変更することはできない。そのような行為によって、レーザダイオードがテープ速度に対して誤って較正され、読取不可能なデータが書込まれるか、または書込まれたデータが読取不可能になってしまう。ゆえに、テープ速度の変更にはレーザダイオードの時間の掛かる再較正が必要であり、これは望ましくない場合がある。
【００１０】
上述のように、光学テープ駆動システム最大データ転送レートは比較的高い場合がある。たとえば、光ピックアップユニット１１２ｎの各々が３０メガビット／秒（ＭＢ／ｓ）のデータレートを有する場合、光学テープ駆動システム１１０の最大データ転送レートは２４０ＭＢ／ｓになる。しかし、バックアップおよびアーカイブソリューションなどの一定の光学テープアプリケーションは、そのような高く持続されたスループット速度を維持することができない。また、データアンダーラン（書込）およびデータオーバーラン（読取）に関連付けられるテープ停止およびテープ開始の数は、アプリケーションスループット速度とシステムデータ転送レートとの差が増加するにつれて増加し得る。したがって、（レーザダイオードの時間の掛かる再較正を回避するために）テープ速度を調整することなくアプリケーションスループット速度と一致するようにシステムデータ転送レートを減少させることは、全体的なシステム性能を改善し得る。
【００１１】
図１および図２を参照して、光学テープ１１６は３２個の物理トラック（トラック０〜トラック３１）を含み得る。この例におけるトラックのすべては４個のラップに書込まれ、各ラップは８個の物理トラックを有する。すなわち、この例では、各ラップ内の物理トラックの数は、光学テープ駆動システム１１０の光ピックアップユニット１１２ｎの総数によって規定される。論理ラップ０を書込むために、コントローラ１１４は、テープの始端において、光ピックアップユニット１１２ａをトラック１５上に、光ピックアップユニット１１２ｂをトラック１４上に、光ピックアップユニット１１２ｃをトラック１３上に、…、および光ピックアップユニット１１２ｈをトラック８上に位置決めする。そしてテープ１１６を順方向に進めて、テープの終端に達するまで光ピックアップユニット１１２ｎを介してトラック８から１５にデータを書込む。論理ラップ１を書込むために、コントローラ１１４は、テープの終端において、光ピックアップユニット１１２ａをトラック２３上に、光ピックアップユニット１１２ｂをトラック２２上に、光ピックアップユニット１１２ｃをトラック２１上に、…、および光ピックアップユニット１１２ｈをトラック１６上に位置決めする。そしてテープ１１６を逆方向に進めて、テープの始端に達するまで光ピックアップユニット１１２ｎを介してトラック１６から２３にデータを書込む。論理ラップ２を書込むために、コントローラ１１４は、テープの始端において、光ピックアップユニット１１２ａをトラック７上に、光ピックアップユニット１１２ｂをトラック６上に、光ピックアップユニット１１２ｃをトラック５上に、…、および光ピックアップユニット１１２ｈをトラック０上に位置決めする。そしてテープ１６を順方向に進めて、テープの終端に達するまで光ピックアップユニット１１２ｎを介してトラック０から７にデータを書込む。最後に論理ラップ３を書込むために、コントローラ１１４は、テープの終端において、光ピックアップユニット１１２ａをトラック３１上に、光ピックアップユニット１１２ｂをトラック３０上に、光ピックアップユニット１１２ｃをトラック２９上に、…、および光ピックアップユニット１１２ｈをトラック２４上に位置決めする。そしてテープ１１６を逆方向に進めて、テープの始端に達するまで光ピックアップユニット１１２ｎを介してトラック２４から３１にデータを書込む。この例示的なテープフォーマットは、完全なテープ書込の完了時に、テープがテープの始端に位置決めされてアンロードの容易さを促進するように設計される。
【００１２】
図１および図３を参照して、別の光学テープ１１８は３２個のトラック（トラック０〜トラック３１）を含み得る。この例におけるトラックのすべてもやはり４個のラップに書込まれ、各ラップは８個の物理トラックを有する。この例では、論理ラップ２が書込まれている間、データスループットが５０％減少する。コントローラ１１４は、上述のように、書込まれる特定のラップに関連付けられる適切な物理トラック上に光ピックアップユニット１１２ｎを位置決めする。しかし、トラック７，５，３，１にそれぞれ関連付けられる光ピックアップユニット１１２ａ，１１２ｃ，１１２ｅ，１１２ｇは、論理ラップ２が書込まれている間オフにされる。光ピックアップユニット１１２ａ，１１２ｃ，１１２ｅ，１１２ｇはその後、論理ラップ３が書込まれている間オフのままである。光ピックアップユニット１１２ｎの各々が上述のように３０ＭＢ／ｓのデータレートを有すると仮定すると、データスループットは、論理ラップ０，１および２の前半に書込む間、２４０ＭＢ／ｓになる。データスループットはその後、論理ラップ２の後半および論理ラップ３に書込む間、１２０ＭＢ／ｓになる。他の例では、データスループットをさらに減少させるために付加的な光ピックアップユニットがオフにされてもよい。同様に、データスループットを増加させるためにより少ない光ピックアップユニットがオフにされてもよい。
【００１３】
トラック１，３，５，７の一部およびトラック２５，２７，２９，３１のすべてにはデータがない。他のトラックに既存のデータを上書きすることなく、書込まれていないこれらのトラックを再利用することを可能にするテープフォーマットを設計することは困難から不可能であり得る。したがって、図３を参照して説明された方策は、テープ容量を犠牲にして所望のデータスループットを達成する。すなわち、データスループットの減少が大きくなるほど、損失容量が増加する。
【００１４】
図２および図３の例におけるラップの各々は、８個の物理トラックを有する。すなわち、最大データスループットに満たないスループットを達成するために光ピックアップユニットがオフにされるか否かに係わらず、論理ラップを規定する物理トラックの数は光学テープ駆動システムに関連付けられる光ピックアップユニットの総数に等しい。たとえば、所与の光学テープ駆動システムが合計ｎ個の光ピックアップユニットを有する場合、図２および図３を参照して説明されたのと同様のアルゴリズムを採用する光学テープ駆動システムによって書込まれる論理ラップは各々がｎ個の物理トラックを有することになり、これによって、光ピックアップユニットをオフにしてデータスループットを減少させると損失テープ容量につながる。
【００１５】
ここに説明される一定の方策は、論理ラップを、光ピックアップユニットの総数に従うのではなく、所望のデータ転送レートを達成するのに必要なアクティブな光ピックアップユニットの数に従って規定することによって、スループット対容量のトレードオフに対処することを試み得る。光ピックアップユニットは上述のようにオフにされて、光ピックアップユニットデータレートの倍数単位でデータ転送レートを達成し得る。たとえば、光ピックアップユニットデータレートが２０ＭＢ／ｓであり、光学テープ駆動システムに関連付けられる光ピックアップユニットが合計６個ある場合、光学テープ駆動システムに利用可能なデータ転送レートは２０ＭＢ／ｓ、４０ＭＢ／ｓ、６０ＭＢ／ｓ、…、１２０ＭＢ／ｓとなる。しかし、光学テープ駆動システムデータ転送レートを減少させる際、各論理ラップの内部の物理トラックの数はアクティブな光ピックアップユニットの数に等しいべきである。各光ピックアップユニットは多くの物理トラックをカバーし得る可動域を有するため、アクティブな光ピックアップユニットは互いに隣接していてもよいが、隣接しなくてもよい。たとえば、４０ＭＢ／ｓが所望のシステムデータ転送レートである場合、２つの隣接した物理トラックを有する論理ラップに書込むことができるように、合計６個の光ピックアップユニットのうちの４個がオフにされるべきである。４個の非アクティブな光ピックアップユニットは互いに隣接していてもよく、２つのアクティブな光ピックアップユニットは互いに隣接していてもよい。すなわち、光ピックアップユニットをｕ、ｖ、ｗ、ｘ、ｙ、ｚと順次ラベル付けした場合、ｕおよびｖ、ないし、ｙおよびｚ、のいずれか一方がアクティブであってもよい。たとえば、６０ＭＢ／ｓが所望のシステムデータ転送レートである場合、３個の隣接した物理トラックを有する論理ラップに書込むことができるように、合計６個の光ピックアップユニットのうちの３個がオフにされるべきである。３個の非アクティブな光ピックアップユニットは互いに隣接していてもよく、３個のアクティブな光ピックアップユニットは互いに隣接していてもよい。すなわち、ｕ、ｖ、ｗまたはｖ、ｗ、ｘまたはｘ、ｙ、ｚがアクティブであってもよい。
【００１６】
駆動装置が特有のテープ速度で書込むように構成されると、テープの始端から書込まれる任意のカートリッジが、当該駆動装置に選択された論理速度フォーマットを使用し得る。このフォーマットは、カートリッジ論理フォーマットを用いてデータを読取ることができるようにテープロード時に検出され得る。しかし、低下した性能レベルにチューニングされた駆動装置を用いてテープカートリッジが書込まれた場合、そのカートリッジは、テープの始端から再び書込まれるまで低下した性能レベルでのみ作動し得る。
【００１７】
図１および図４を参照して、光学テープ１２０は３２個の物理トラック（トラック０〜トラック３１）を含み得る。他のテープは、異なる数の物理トラックをもちろん有してもよい。光ピックアップユニット１１２ｎの各々のデータレートが４０ＭＢ／ｓであり、この例における所望のデータ転送レートが１６０ＭＢ／ｓであると仮定すると、光ピックアップユニット１１２ｎのうちの４個が非アクティブとなり、光ピックアップユニット１１２ｎのうちの４個がアクティブとなり、論理ラップの各々は４個の物理トラックを有することになる。すなわち、この例では、各ラップ内の物理トラックの数は、アクティブな光ピックアップユニット１１２ｎの数によって規定される。
【００１８】
論理ラップ０を書込むために、コントローラ１１４は、テープの始端において、光ピックアップユニット１１２ａをトラック１５上に、光ピックアップユニット１１２ｂをトラック１４上に、光ピックアップユニット１１２ｃをトラック１３上に、および光ピックアップユニット１１２ｄをトラック１２上に位置決めする（光ピックアップユニット１１２ａ〜１１２ｄがアクティブであり、光ピックアップユニット１１２ｅ〜１１２ｈが非アクティブであると仮定する）。そしてテープ１２０を順方向に進めて、テープの終端に達するまで光ピックアップユニット１２ａ〜１２ｄを介してトラック１２から１５にデータを書込む。論理ラップ１を書込むために、コントローラ１１４は、テープの終端において、光ピックアップユニット１１２ａをトラック１９上に、光ピックアップユニット１１２ｂをトラック１８上に、光ピックアップユニット１１２ｃをトラック１７上に、および光ピックアップユニット１１２ｄをトラック１６上に位置決めする。そしてテープ１２０を逆方向に進めて、テープの始端に達するまで光ピックアップユニット１１２ａ〜１１２ｄを介してトラック１６から１９にデータを書込む。論理ラップ２を書込むために、コントローラ１１４は、テープの始端において、光ピックアップユニット１１２ａをトラック１１上に、光ピックアップユニット１１２ｂをトラック１０上に、光ピックアップユニット１１２ｃをトラック９上に、および光ピックアップユニット１１２ｄをトラック８上に位置決めする。そしてテープ１２０を順方向に進めて、テープの終端に達するまで光ピックアップユニット１１２ａ〜１１２ｄを介してトラック８から１１にデータを書込む。論理ラップ３を書込むために、コントローラ１１４は、テープの終端において、光ピックアップユニット１１２ａをトラック２３上に、光ピックアップユニット１１２ｂをトラック２２上に、光ピックアップユニット１１２ｃをトラック２１上に、および光ピックアップユニット１１２ｄをトラック２０上に位置決めする。そしてテープ１２０を逆方向に進めて、テープの始端に達するまで光ピックアップユニット１１２ａ〜１１２ｄを介してトラック２３から２０にデータを書込む。
【００１９】
論理ラップ４を書込むために、コントローラ１１４は、テープの始端において、光ピックアップユニット１１２ａをトラック７上に、光ピックアップユニット１１２ｂをトラック６上に、光ピックアップユニット１１２ｃをトラック５上に、および光ピックアップユニット１１２ｄをトラック４上に位置決めする。そしてテープ１２０を順方向に進めて、テープの終端に達するまで光ピックアップユニット１１２ａ〜１１２ｄを介してトラック４から７にデータを書込む。論理ラップ５を書込むために、コントローラ１１４は、テープの終端において、光ピックアップユニット１１２ａをトラック２７上に、光ピックアップユニット１１２ｂをトラック２６上に、光ピックアップユニット１１２ｃをトラック２５上に、および光ピックアップユニット１１２ｄをトラック２４上に位置決めする。そしてテープ１２０を逆方向に進めて、テープの始端に達するまで光ピックアップユニット１１２ａ〜１１２ｄを介してトラック２４から２７にデータを書込む。論理ラップ６を書込むために、コントローラ１１４は、テープの始端において、光ピックアップユニット１１２ａをトラック３上に、光ピックアップユニット１１２ｂをトラック２上に、光ピックアップユニット１１２ｃをトラック１上に、および光ピックアップユニット１１２ｄをトラック０上に位置決めする。そしてテープ１２０を順方向に進めて、テープの終端に達するまで光ピックアップユニット１１２ａ〜１１２ｄを介してトラック０から３にデータを書込む。最後に論理ラップ７を書込むために、コントローラ１１４は、テープの終端において、光ピックアップユニット１１２ａをトラック３１上に、光ピックアップユニット１１２ｂをトラック３０上に、光ピックアップユニット１１２ｃをトラック２９上に、および光ピックアップユニット１１２ｄをトラック２８上に位置決めする。そしてテープ１２０を逆方向に進めて、テープの始端に達するまで光ピックアップユニット１１２ａ〜１１２ｄを介してトラック３１から２８にデータを書込む。この例示的なテープフォーマットは、完全なテープ書込の完了時に、テープがテープの始端に位置決めされてアンロードの容易さを促進するように設計される。
【００２０】
表１は、図４の物理トラックに対して図４の論理ラップをマッピングしている。
【００２１】
【表１】
2015533010.tif 000003
【００２２】
他の例では、論理ラップは異なる物理的な位置を有してもよい。表２および表３は物理トラックに対して論理ラップを代替的にマッピングしている。
【００２３】
【表２】
2015533010.tif 000004
【００２４】
【表３】
2015533010.tif 000005
【００２５】
他の配置も可能である。
光学テープ駆動システム１１０は、所望のデータ転送レートの選択を容易にするためのユーザインターフェイス（図示せず）を含んでもよい。たとえば、表示画面のフィールドが、（光ピックアップユニットの数およびそれらの関連データレートによって決められる）いくつかの利用可能なデータ転送レートをリストにして示してもよい。したがってユーザはそれらの所望のデータ転送レートを入力し得、コントローラ１１４はこれに応答して、ここに説明されるように光ピックアップユニット１１２ｎを構成し動作させて、選択されたデータ転送レートを達成し得る。
【００２６】
ここに開示される処理、方法、またはアルゴリズムは、任意の既存のプログラム可能な電子制御ユニットまたは専用の電子制御ユニットを含み得る処理装置、制御装置、またはコンピュータに提供可能／それらによって実現可能である。同様に、処理、方法、またはアルゴリズムは、ＲＯＭデバイスなどの書込不可能な記憶媒体に永久的に記憶される情報、ならびにフロッピー（登録商標）ディスク、磁気テープ、ＣＤ、ＲＡＭデバイス、および他の磁気および光学媒体などの書込可能な記憶媒体に変更可能に記憶される情報を含むがこれらに限定されない多くの形態で、制御装置またはコンピュータによって実行可能なデータおよび命令として記憶され得る。処理、方法、またはアルゴリズムはさらに、ソフトウェア実行可能オブジェクトにおいて実現され得る。代替的に、処理、方法、またはアルゴリズムは、特定用途向け集積回路（ＡＳＩＣ）、フィールドプログラマブルゲートアレイ（ＦＰＧＡ）、状態機械、もしくは他のハードウェア構成要素もしくは装置などの好適なハードウェア構成要素、またはハードウェア、ソフトウェアおよびファームウェア構成要素の組合せを用いて、全体的にまたは部分的に具体化され得る。
【００２７】
例示的な実施形態が上記に説明されたが、これらの実施形態は請求項に含まれるすべての可能な形態を説明するよう意図されていない。明細書中に用いられる用語は限定ではなく説明の用語であり、開示の思想および範囲から逸脱することなくさまざまな変更がなされ得ると理解される。上述のように、さまざまな実施形態の特徴を組合せて、明示的に説明または図示され得ない本発明のさらなる実施形態が形成され得る。さまざまな実施形態は、１つ以上の所望の特性に関して他の実施形態または先行技術の実現に対して利点を提供するとして、または好ましいとして説明されたかもしれないが、当業者は、具体的な用途および実現に依存する所望の全体的なシステム属性を達成するために１つ以上の特徴または特性が損なわれ得ることを認識する。これらの属性は、コスト、強度、耐久性、ライフサイクルコスト、市場性、外見、パッケージング、サイズ、サービス性、重量、製造性、組立容易性等を含み得るが、これらに限定されない。したがって、１つ以上の特性に関して他の実施形態または先行技術の実現よりも好ましくないとして説明される実施形態は開示の範囲外ではなく、特定の用途に所望され得る。
【図１】
2015533010.tif 000006
【図２】
2015533010.tif 000007
【図３】
2015533010.tif 000008
【図４】
2015533010.tif 000009
【国際調査報告】
2015533010.tif 000010
2015533010.tif 000011